(57)【要約】【課題】携帯端末において利用される商品情報を容易に取得することが可能であり、店舗等において当該商品情報を利用するサービスの促進を図る放送受信システムを提供する。【解決手段】放送局は、商品情報を含む放送データを送信する。放送受信端末は、受信された放送データに含まれる番組情報を出力するとともに、受信された放送データに含まれる商品情報を記憶する。また、放送受信端末は、記憶されている商品情報のうち１つを指定するための入力を受け付ける。さらに、受け付けられた入力によって指定される商品情報を所定の形態で画面に出力させることによって、当該商品情報を当該外部装置に通知する。外部装置は、放送受信端末において所定の形態で出力される情報を読み取り可能であり、当該所定の形態で出力された商品情報を読み取ることによって商品を特定する。【選択図】        図１
2004350132.tif 000002
【特許請求の範囲】
【請求項１】
放送データを送信する放送局と、当該放送データを受信可能な放送受信端末と、当該放送受信端末において所定の形態で出力される情報を読み取り可能な外部装置とを含むデジタル放送受信システムであって、
前記放送局は、放送すべき番組に関する番組情報と、商品に関する商品情報とを含む放送データを送信し、
前記放送受信端末は、
前記放送データを受信する放送受信部と、
前記放送受信部によって受信された放送データに含まれる番組情報を出力する出力部と、
前記放送受信部によって受信された放送データに含まれる商品情報を記憶する商品情報記憶部と、
前記商品情報記憶部に記憶されている商品情報のうち１つを指定するための入力を受け付ける入力受付部と、
前記入力受付部によって受け付けられた入力によって指定される商品情報を前記所定の形態で前記出力部に出力させることによって、当該商品情報を当該外部装置に通知する商品情報管理部とを備え、
前記外部装置は、前記出力部によって前記所定の形態で出力された商品情報を読み取ることによって商品を特定する商品情報読取部を備える放送受信システム。
【請求項２】
前記番組情報は、番組の映像データと、音声データと、少なくとも文字情報を表示するための付随データとを含み、
前記商品情報管理部は、前記付随データを用いることによって、商品情報を番組情報とともに前記出力部に出力させる、請求項１に記載の放送受信システム。
【請求項３】
前記放送受信端末は、
前記商品情報記憶部に記憶すべき商品情報の種類を示す記憶対象情報を記憶する対象記憶部と、
前記放送受信部によって受信された放送データに含まれる商品情報が前記記憶対象情報により示される商品情報と合致するか否かを判定する判定部とをさらに備え、
前記商品情報記憶部は、前記判定部によって前記記憶対象情報により示される商品情報と合致すると判定された商品情報のみを記憶する、請求項１に記載の放送受信システム。
【請求項４】
前記放送受信端末は、待ち受けモードか否かを示す２つのモードを有しており、
前記出力部は、前記待ち受けモードでない場合にのみ、映像情報および音声情報を出力する、請求項１または３のいずれかに記載の放送受信システム。
【請求項５】
前記放送受信端末は、前記外部装置との通信を行う通信部をさらに備え、
前記外部装置は、
商品情報により示される商品に関する詳細情報を格納する詳細情報格納部と、
前記商品情報読取部によって読み取られた商品情報に関する詳細情報を、前記詳細情報格納部に格納されている詳細情報から取得するとともに、前記放送受信端末へ送信する詳細情報送信部とをさらに備える、請求項１に記載の放送受信システム。
【請求項６】
前記所定の形態は、商品を識別するためのバーコードである、請求項１に記載の放送受信システム。
【請求項７】
放送局から送信される放送データを受信可能な放送受信端末であって、
放送すべき番組に関する番組情報と、商品に関する商品情報とを含む放送データを受信する放送受信部と、
前記放送受信部によって受信された放送データに含まれる番組情報を出力する出力部と、
前記放送受信部によって受信された放送データに含まれる商品情報を記憶する商品情報記憶部と、
前記商品情報記憶部に記憶されている商品情報のうち１つを指定するための入力を受け付ける入力受付部と、
前記入力受付部によって受け付けられた入力によって指定される商品情報を、所定の外部装置によって読み取り可能な形態で前記出力部に出力させることによって、当該商品情報を当該外部装置に通知する商品情報管理部とを備える、放送受信端末。
【発明の詳細な説明】
【０００１】
【発明の属する技術分野】
本発明は、デジタル放送受信システムに関し、より特定的には、店舗等に設置された店頭端末において商品の購入等に利用される携帯端末を含むデジタル放送受信システムに関する。
【０００２】
【従来の技術】
近年から、店舗等において商品を購入等する際に、ユーザが所持する携帯端末において商品のバーコードを表示させ、チケットやクーポンとして利用したり、商品の注文を行うといったサービスが考えられている。具体的には、ユーザは、バーコードの情報をインターネット等から予め取得しておき、店舗に出向いた際、取得しておいたバーコードを携帯端末の画面に表示させる。店舗には、携帯端末の画面に表示されたバーコードを読み取ることが可能な端末（以下、携帯端末と区別し、店頭端末と呼ぶ。）が設置されており、ユーザは、携帯端末に表示させたバーコードを店頭端末に読み込ませることによって、当該バーコードの商品を注文等することができる。以上の技術によって、ユーザは、商品名や商品の詳細な機能を覚えておかなくとも希望の商品を購入することができたり、クーポンやチケットの紙を保管しておかなくともそれらを利用することができる。
【０００３】
また、携帯端末でバーコードを表示させることによって商品を購入するサービス形態として、携帯電話で自動販売機の飲料を購入するサービスが考えられている（例えば、非特許文献１参照。）。このサービスでは、飲料を購入するチケットとしてバーコードが用いられる。すなわち、携帯電話のユーザは、自動販売機で飲料を購入する際、ネットワーク上のサーバからバーコードの情報を取得する。取得されたバーコードの情報によって、携帯電話の画面にはバーコードが表示される。ユーザは、表示されたバーコードを自動販売機のバーコード読み取り部分にかざすことによって、飲料を購入することができる。
【０００４】
【非特許文献１】
“Ｃｍｏｄｅ会員サービス利用イメージ”、［ｏｎｌｉｎｅ］、［２００３年３月１８日検索］、インターネット＜ＵＲＬ：ｈｔｔｐ：／／ｗｗｗ．ｎｔｔｄｏｃｏｍｏ．ｃｏ．ｊｐ／ｎｅｗ／ｃｏｎｔｅｎｔｓ／０１／ｗｈａｔｎｅｗ０８０８ａ−１．ｈｔｍｌ＞
【０００５】
【発明が解決しようとする課題】
従来においては、携帯端末に表示されるバーコードは、インターネット等のネットワークにアクセスすることによって取得されるものであった。つまり、ユーザは、商品を購入したりクーポン等によるサービスを受けるためにバーコードを用いようとする場合、希望の商品のバーコードをインターネットから取得しなければならなかった。このようなバーコードの取得作業はユーザにとって煩雑なものである。また、インターネットを利用することによって、ユーザはコストや時間を浪費するという問題もある。さらに、以上のようなデメリットは、バーコードを利用したサービスの普及の障害となるおそれがあった。
【０００６】
それ故に、本発明は、携帯端末において利用される、バーコードに代表される商品情報を容易に取得することが可能であり、店舗等において当該商品情報を利用するサービスの促進を図る放送受信システムを提供することを目的とする。
【０００７】
【課題を解決するための手段および発明の効果】
第１の発明は、放送局と、放送受信端末と、外部装置とを含むデジタル放送受信システムである。放送局は、放送すべき番組に関する番組情報と、商品に関する商品情報とを含む放送データを送信する。放送受信端末は、放送データを受信可能であり、放送受信部と、出力部と、商品情報記憶部と、入力受付部と、商品情報管理部とを備える。放送受信部は、放送データを受信する。出力部は、放送受信部によって受信された放送データに含まれる番組情報を出力する。商品情報記憶部は、放送受信部によって受信された放送データに含まれる商品情報を記憶する。入力受付部は、商品情報記憶部に記憶されている商品情報のうち１つを指定するための入力を受け付ける。商品情報管理部は、入力受付部によって受け付けられた入力によって指定される商品情報を所定の形態で出力部に出力させることによって、当該商品情報を当該外部装置に通知する。外部装置は、放送受信端末において所定の形態で出力される情報を読み取り可能であり、出力部によって所定の形態で出力された商品情報を読み取ることによって商品を特定する商品情報読取部を備える。
【０００８】
上記によれば、放送局からの放送データに商品情報を付加して放送受信端末へ送信することによって、放送受信端末のユーザは、ユーザ自身が商品情報の取得操作を行わずとも種々の商品情報を取得することができる。これによって、携帯端末において利用される商品情報を容易に取得することが可能であり、店舗等において当該商品情報を利用するサービスの促進を図ることができる。
【０００９】
また、第１の発明において、番組情報は、番組の映像データと、音声データと、少なくとも文字情報を表示するための付随データとを含んでいてもよい。このとき、商品情報管理部は、付随データを用いることによって、商品情報を番組情報とともに出力部に出力させる。
【００１０】
上記によれば、商品情報が放送される番組とともに出力される。従って、番組を視聴しているユーザに対して、商品情報が送信されたことを知らせることができる。
【００１１】
また、第１の発明において、放送受信端末は、対象記憶部と、判定部とをさらに備えていてもよい。対象記憶部は、商品情報記憶部に記憶すべき商品情報の種類を示す記憶対象情報を記憶する。判定部は、放送受信部によって受信された放送データに含まれる商品情報が記憶対象情報により示される商品情報と合致するか否かを判定する。このとき、商品情報記憶部は、判定部によって記憶対象情報により示される商品情報と合致すると判定された商品情報のみを記憶する。
【００１２】
上記によれば、予め定められた記憶対象情報に適合する商品情報のみが記憶される。従って、記憶対象情報をユーザの嗜好に合わせて設定しておくことによって、ユーザにとって必要のない商品情報が放送受信端末に記憶されることを防止することができる。
【００１３】
また、第１の発明において、放送受信端末は、待ち受けモードか否かを示す２つのモードを有していてもよい。このとき、出力部は、待ち受けモードでない場合にのみ、映像情報および音声情報を出力する。
【００１４】
上記によれば、番組を視聴中でない場合においても、商品情報を取得することができる。従って、商品情報を得る機会をユーザにより多く提供することができる。また、商品情報を得るために番組の映像および音声等を出力させる必要がないので、放送受信端末の電力消費を抑えることができる。
【００１５】
また、第１の発明において、放送受信端末は、外部装置との通信を行う通信部をさらに備えていてもよい。このとき、外部装置は、詳細情報格納部と、詳細情報送信部とをさらに備える。詳細情報格納部は、商品情報により示される商品に関する詳細情報を格納する。詳細情報送信部は、商品情報読取部によって読み取られた商品情報に関する詳細情報を、詳細情報格納部に格納されている詳細情報から取得するとともに、放送受信端末へ送信する。
【００１６】
上記によれば、放送データから取得された商品情報を用いて、当該商品情報により示される商品のより詳細な情報を外部装置から取得することができる。従って、まず放送によって多数のユーザに対して簡易な内容の商品情報を提供することができるとともに、商品に興味を持ったユーザは、当該商品に関してさらに詳細な情報を得ることができる。これによって、商品の提供者側からすれば、効率よく商品の広告を行うことができるという利点がある。
【００１７】
また、第１の発明において、所定の形態は、商品を識別するためのバーコードであってもよい。
【００１８】
第２の発明は、放送局から送信される放送データを受信可能な放送受信端末である。放送受信端末は、放送受信部と、出力部と、入力受付部と、商品情報記憶部と、商品情報管理部とを備える。放送受信部は、放送すべき番組に関する番組情報と、商品に関する商品情報とを含む放送データを受信する。出力部は、放送受信部によって受信された放送データに含まれる番組情報を出力する。商品情報記憶部は、放送受信部によって受信された放送データに含まれる商品情報を記憶する。入力受付部は、商品情報記憶部に記憶されている商品情報のうち１つを指定するための入力を受け付ける。商品情報管理部は、入力受付部によって受け付けられた入力によって指定される商品情報を、所定の外部装置によって読み取り可能な形態で出力部に出力させることによって、当該商品情報を当該外部装置に通知する。
【００１９】
【発明の実施の形態】
図１は、本発明の一実施形態に係る放送受信システムの概要を示す図である。図１において、放送受信システムは、放送受信端末（以下、単に「端末」という。）１と、放送局２と、外部装置３とからなる。放送局２は、典型的には、携帯端末向けのデジタル放送（１セグメント放送）を行う放送局である。端末１は、放送局２からの放送データを受信する機能（典型的には、上記１セグメント放送の受信機能）を有する携帯型の端末である。外部装置３は、典型的には店舗等に設置される装置であり、端末１を所持したユーザが当該店舗に出向いて商品を購入する際等に利用される。なお、説明を容易にする目的で、図１においては端末１および外部装置３をそれぞれ１つのみ示すが、本放送受信システムは複数の端末および複数の外部装置を有する構成であってもよい。
【００２０】
また、図１は、端末１の機能的な構成を示している。すなわち、図１において、端末１は、放送受信部４と、商品情報記憶部５と、商品情報通知部６と、入力受付部７と、出力部８とを備えている。放送局２から放送データが送信されてくると、放送受信部４は、当該放送データを受信する。ここで、放送データには、放送すべき番組に関する番組情報とともに、商品に関する商品情報が含まれている。なお、番組情報は、番組の映像に関する映像データと、番組の音声に関する音声データと、映像および音声以外の付随データ（文字情報を表示するためのデータ等。具体的には、後述するＢＭＬ文書等）とから構成される。放送受信部４によって受信された放送データに含まれている情報のうち、番組情報は出力部８に入力される。出力部８は、液晶表示装置等の表示装置およびスピーカ等の音声出力装置を備えており、入力された番組情報の映像データ等を出力する。
【００２１】
また、放送受信部４によって受信された放送データに含まれている情報のうち、商品情報は商品情報記憶部５に記憶される。なお、本実施形態においては、放送データによって受信された商品情報のうち、ユーザの嗜好に合致する商品に関する商品情報のみを記憶するものとする。商品情報記憶部５に記憶された商品情報は、ユーザが外部装置３を利用する際に商品情報通知部６に取得される。
【００２２】
ユーザが外部装置３を利用する場合、ユーザは、放送データによって受信された商品情報のうち、所望の商品に関する商品情報を入力受付部７を用いて指定する。すなわち、入力受付部７は、商品情報記憶部５に記憶されている商品情報のうち１つ（ユーザの所望の商品に関する商品情報）を指定するための入力を受け付ける。商品情報通知部６は、入力受付部７によって受け付けられた入力によって指定される商品情報を、所定の形態で出力部８に出力させる。以上によって、放送データによって受信された商品情報を外部装置３に通知することが可能となる。なお、所定の形態とは、外部装置３が読み取り可能な形態である。例えば、バーコードを出力部８の表示装置の画面に表示する形態や、音声を出力する形態等が考えられる。本実施形態においては、所定の形態とは、バーコードを表示する形態であるとする。すなわち、端末１は、商品のバーコードを画面に表示し、外部装置３は、表示されたバーコードを読み取る。
【００２３】
外部装置３は、出力部８によって所定の形態で出力された商品情報を読み取ることによって商品を特定する。このように、端末１で指定した商品を外部装置３によって特定することを可能とすることによって、本放送受信システムを様々なサービスに利用することができる。例えば、特定した商品に関するより詳細な情報を端末１に提供したり、端末１と外部装置３とを用いて商品の購入処理を行うことができる。
【００２４】
なお、本発明において、商品情報とは、商品を識別するための情報（典型的には、バーコード情報）の他、商品を購入するためのチケットを示す情報や、商品の割引クーポンを示す情報等、商品に関する情報を含む概念である。
【００２５】
また、本実施形態においては、外部装置３によって読み取られる際の商品情報は、バーコードの画像データの形態であるが、放送局２から送信される際の商品情報は、当該バーコードの画像データの形態でなくともよい。つまり、商品情報を示すデータの形態は、放送局２によって送信されてから外部装置３によって読み取られるまでの間に変化してもよい。本実施形態においては、放送局２によって送信されてくる放送データに含まれる商品情報は、バーコードを生成するための生成データ（バーコードの画像データの形態ではない。）の形態であるとする。より具体的には、放送データには、バーコードを生成するための商品コードが生成データとして含まれているとする。
【００２６】
次に、図１に示す端末１の具体的な構成を説明する。図２は、図１に示す端末１の具体的な構成を示すブロック図である。図２において、端末１は、チューナ１１と、同調／復調部１２と、多重分離部１３と、商品情報管理部１４と、商品情報記憶部１５と、対象記憶部１６と、映像デコード部１７と、音声デコード部１８と、映像出力部１９と、音声出力部２０と、近距離通信部２１と、入力部２２とを備えている。以下、各部について説明する。
【００２７】
チューナ１１は、ユーザによって指定されるチャンネルの放送データの電波を受信する。これによって、図１に示す放送受信部４の機能が実現される。受信された放送データは、同調／復調部１２によって復調され、多重分離部１３に入力される。多重分離部１３は、入力された放送データを各ストリームに分離する。具体的には、放送データは、多重分離部１３によって、番組の音声データである音声ストリームと、番組の映像データである映像ストリームと、その他のデータとに分離される。なお、その他のデータには、上記付随データの他、上記商品情報の生成データが含まれる。
【００２８】
多重分離部１３によって分離されたその他のデータは、商品情報管理部１４に入力される。商品情報管理部１４は、入力されたデータ等に基づいて種々の処理を行う（図４および図８参照）。商品情報記憶部１５は、チューナ１１によって受信された放送データに含まれる商品情報を記憶する。商品情報記憶部１５は、図１に示す商品情報記憶部５の機能を実現するものである。また、対象記憶部１６は、商品情報記憶部１５に記憶すべき商品情報の種類を示す記憶対象情報を記憶する。記憶対象情報は、ユーザの嗜好を反映するためにユーザによって設定可能であることが好ましい。
【００２９】
商品情報管理部１４は、入力されたデータに含まれる商品情報を商品情報記憶部１５に記憶させる。なお、入力された商品情報が商品情報記憶部１５に記憶されるか否かは、対象記憶部１６に記憶されている上記記憶対象情報に基づいて決定される。また、商品情報管理部１４は、入力されたデータに含まれる商品情報を映像出力部１９に表示させる。商品情報管理部１４は、図１に示す商品情報通知部６の機能を実現するものである。すなわち、本実施形態においては、映像出力部１９によって表示された商品情報（バーコード）を外部装置３が読み取る。
【００３０】
一方、多重分離部１３によって分離された映像ストリームは、映像デコード部１７によって復号（デコード）され、映像出力部１９に出力される。映像出力部１９は、例えば液晶表示装置等の表示装置によって構成され、復号された映像ストリームの映像を表示する。また、多重分離部１３によって分離された音声ストリームは、音声デコード部１８によって復号され、音声出力部２０に出力される。音声出力部２０は、典型的にはスピーカ等の音声出力装置によって構成され、復号された音声ストリームの音声を出力する。以上の映像出力部１９および音声出力部２０によって、図１に示す出力部８の機能が実現される。
【００３１】
近距離通信部２１は、典型的には電気信号で外部装置３との通信を行う。すなわち、外部装置３から端末１へ送信されてくる情報は、近距離通信部２１を介して商品情報管理部１４へ渡される。また、端末１から外部装置３へ送信すべき情報は、商品情報管理部１４から近距離通信部２１を介して外部装置３へ送信される。なお、近距離通信部２１は、例えばＢｌｕｅｔｏｏｔｈによって無線で通信を行うものであってもよいし、ケーブルを用いて外部装置３と接続されることによって有線で通信を行うものであってもよい。
【００３２】
入力部２２は、例えばボタンやタッチパネル等によって構成され、ユーザによる種々の指示の入力を受け付ける。例えば、外部装置３へ通知するためにユーザが所望の商品情報を画面に表示させる場合、入力部２２は、特定の商品情報を指定する入力を受け付ける。入力部２２は、図１に示す入力受付部７の機能を実現するものである。
【００３３】
次に、図１に示す外部装置３の具体的な構成を説明する。図３は、図１に示す外部装置３の詳細な構成を示すブロック図である。図３において、外部装置３は、商品情報読取部３１と、近距離通信部３２と、出力部３３と、検索部３４と、詳細情報データベース３５とを備えている。なお、本実施形態においては、外部装置３は、端末１によって通知された商品情報を読み取り、読み取った商品情報により示される商品に関するより詳細な情報（以下、「詳細情報」と呼ぶ。）を端末１へ送信する機能を有するものとする。以下、各部について説明する。
【００３４】
商品情報読取部３１は、端末１の映像出力部１９に表示される商品情報（バーコード）を読み取り、商品情報によって示される商品を特定する。特定された商品の情報は、検索部３４に入力される。商品情報データベース３５には、詳細情報が格納されており、検索部３４は、入力された商品の情報に関連する上記詳細情報を当該詳細情報データベース３５から取得する。さらに、検索部３４は、取得した詳細情報を、近距離通信部３２を介して端末１へ送信させる。近距離通信部３２は、端末１の近距離通信部２１と同等の機能を有する。すなわち、典型的には電気信号で端末１との通信を行い、検索部３４によって取得された詳細情報を端末１へ送信する。以上のように、商品情報読取部３１によって読み取られた商品情報に関する詳細情報は、検索部３４によって詳細情報データベースに格納されている詳細情報から取得され、近距離通信部３２によって端末１へ送信される。出力部３３は、典型的には表示装置および音声出力装置を備えており、検索部３４によって取得された詳細情報を出力する。これによって、ユーザは、端末１によって詳細情報を取得することができるとともに、その場で詳細情報の内容を視聴することができる。
【００３５】
次に、本実施形態に係る放送受信システムの動作を説明する。ここで、放送受信システムの動作は、端末１が放送局から放送データを受信し、商品情報を記憶する際の動作と、端末１が商品情報を画面に表示させることによって外部装置３に通知する際の動作との２つの動作に分けられる。そこで、まず、端末１が放送データを受信し、商品情報を記憶する際の動作を説明する。
【００３６】
また、本実施形態においては、端末１は、待ち受けモードか否かを示す２つのモード（以下、「待ち受けモード」および「非待ち受けモード」とする。）を有するものとする。待ち受けモードとは、ユーザが番組放送を視聴しないが放送データを受信する場合のモードであり、非待ち受けモードとは、受信した放送データをユーザが視聴する場合のモードである。待ち受けモードは、ユーザが番組を見ずに商品情報のみを取得したい場合に設定される。なお、現在のモードを示すモード情報は商品情報管理部１４において記憶されており、ユーザが入力部２２を用いて指示することによって当該設定を適宜変更可能であるとする。
【００３７】
なお、非待ち受けモードに設定されている場合、端末１において受信された放送データが多重分離部１３によって分離され、番組の映像および音声が出力される動作は、図２の説明において述べた通りである。従って、以下では、多重分離部１３によって分離された他のデータ（商品情報等）が、商品情報管理部１４に入力された際の動作を説明する。
【００３８】
図４は、放送受信端末１の放送データ受信時における動作を示すフローチャートである。まず、上記他のデータを入力した商品情報管理部１４は、端末１のモードが待ち受けモードであるか否かを判定する（ステップＳ１）。この判定は、商品情報管理部１４において記憶されているモード情報に基づいて行われる。ステップＳ１において待ち受けモードであると判定された場合、ステップＳ４の処理が行われる。
【００３９】
一方、ステップＳ１において非待ち受けモードであると判定された場合、ステップＳ２の処理が行われる。すなわち、番組の映像とともに商品情報を表示するか否かが判定される（ステップＳ２）。なお、番組の映像とともに商品情報を表示するか否かは、ユーザによって予め設定されているものとする。ステップＳ２の判定において、番組の映像とともに商品情報を表示しないと判定された場合、ステップＳ４の処理が行われる。一方、ステップＳ２の判定において、番組の映像とともに商品情報を表示しないと判定された場合、商品情報管理部１４は、商品情報の表示処理を行う（ステップＳ３）。ステップＳ３の処理は、番組の映像情報とともに商品情報のバーコードを表示する処理である。以下、ステップＳ３の詳細を説明する。
【００４０】
図５は、図４のステップＳ３の詳細を示すフローチャートである。なお、本実施形態においては、端末１は、商品情報を番組の映像情報とともに表示する際、ＡＲＩＢ（Ａｓｓｏｃｉａｔｉｏｎ  ｏｆ  Ｒａｄｉｏ  Ｉｎｄｕｓｔｒｉｅｓａｎｄ  Ｂｕｓｉｎｅｓｓｅｓ）により規格標準化されたＢＭＬ（Ｂｒｏａｄｃａｓｔ  Ｍａｒｋｕｐ  Ｌａｎｇｕａｇｅ）文書、ＢＭＬブラウザおよびバイナリテーブルを用いるものとする。すなわち、放送データには、上記付随データとしてＢＭＬ文書が含まれるとともに、商品情報が記述されたバイナリテーブルが含まれている。これらが多重分離部１３によって分離され、商品情報管理部１４に入力される。そして、商品情報管理部１４は、ＢＭＬブラウザを用いて、商品情報を番組の映像情報とともに表示するものとする。換言すれば、商品情報管理部１４はＢＭＬブラウザの機能を含んでおり、以下に説明するステップＳ３１〜Ｓ３７は、ＢＭＬブラウザによって実行される。なお、ＢＭＬブラウザには、コンテンツメモリ、内部データ用メモリおよびスクリプト作業用メモリという３つのメモリが用意され、以下のステップＳ３１〜Ｓ３７ではこれらのメモリが利用される。
【００４１】
まず、商品情報管理部１４は、多重分離部１３から入力された他のデータに含まれるＢＭＬ文書と商品情報が記述されたバイナリテーブルを読み込む（ステップＳ３１）。ＢＭＬ文書およびバイナリテーブルは、上記コンテンツメモリに格納される。
【００４２】
図６は、本実施形態において放送データに含まれるＢＭＬ文書の例を示す図である。図６に示すように、ＢＭＬ文書のスクリプト要素にはＥＣＭＡスクリプト等が記述されている。このスクリプトによって商品情報が記述されたバイナリテーブルが参照される。また、バイナリテーブルに記述された商品情報は、バーコードを生成するための生成データの形態で記述されている。
【００４３】
図７は、本実施形態において用いられる生成データの例を示す図である。本実施形態においては、生成データは、バーコードを生成するための商品コードである。具体的には、商品コードは、図７に示す表の最下段の文字列により構成される。商品コードの文字列は、６つのフィールドに分けることができる。第１のフィールド（図７においては“Ｆ１”と示す。第２のフィールド以降についても同様。）の文字列（数字）は、商品番号を示す。第２のフィールドの文字列は、商品名を示す。第１および第２のフィールドは、商品に関する情報を示すものであり、バーコードを生成するための情報は、第３のフィールド以降に記述されている。すなわち、第３のフィールドは国コードを示し、第４のフィールドはメーカーコードを示し、第５のフィールドはアイテムコードを示し、第６のフィールドは誤読防止用のチェックデジットを示す。
【００４４】
図５の説明に戻り、ステップＳ３１の次に、商品情報管理部１４は、コンテンツメモリに格納されているＢＭＬ文書の解析を行い（ステップＳ３２）、表示に必要なデータを上記内部データ用メモリに格納する。続いて、ＢＭＬ文書のスクリプト要素に記述されたスクリプトがコンパイルされ（ステップＳ３３）、コンパイルされたデータは、上記スクリプト作業用メモリに格納される。次に、商品情報管理部１４は、コンテンツメモリに格納されているＢＭＬ文書から参照される画像データをデコードし（ステップＳ３４）、デコードしたデータを内部データ用メモリに格納する。そして、内部データ用メモリに格納されたデータから、組版処理によってレイアウトデータが作成される（ステップＳ３５）。最後に、商品情報管理部１４は、スクリプト作業用メモリに格納されているコンパイルされたスクリプトを実行し（ステップＳ３６）、スクリプトおよびレイアウトデータに基づいて、バイナリテーブルの内容等を画面（映像出力部１９の表示装置の画面）に表示する（ステップＳ３７）。なお、バイナリテーブルの商品コードからバーコードの画像を生成する方法については後述する。
【００４５】
以上のように、本実施形態によれば、スクリプトを用いることによって、ＢＭＬ文書と商品コードとを独立した形態で放送データに含めることができる。従って、商品コードのみを記憶しておくことが容易になり、放送データ全体を記憶する必要がなくなる。なお、本実施形態においては、番組の映像情報とともに商品情報を表示するための方法として、ＢＭＬブラウザを用いてＢＭＬ文書およびバイナリテーブルを解析する方法を説明したが、商品情報の表示はどのような方法であってもよい。また、商品情報を番組と同時に必ずしも表示する必要はない。
【００４６】
図４の説明に戻り、ステップＳ４において、商品情報管理部１４は、放送データに含まれる商品情報、すなわち、多重分離部１３から入力されるその他のデータに含まれる商品情報のうち１つを選択する（ステップＳ４）。ここで、前回までのステップＳ４〜Ｓ８のループにおいて選択された商品情報は選択されない。次に、商品情報管理部１４は、直前のステップＳ４において選択した商品情報が対象記憶部１６に記憶されている記憶対象情報に合致するか否かを判定する（ステップＳ５）。具体的には、ステップＳ５の処理は次のように行われる。すなわち、記憶対象情報のデータには、商品情報記憶部１５に記憶すべき商品の商品名やアイテムコード（図７参照。）が記述されている。商品情報管理部１４は、ステップＳ４において選択した商品情報の商品名が記憶対象情報に含まれている商品名と合致するか否か、および、当該商品情報のアイテムコードが記憶対象情報に含まれているアイテムコードと合致するか否かを判定する。そして、商品名およびアイテムコードのいずれかについて合致する場合、当該商品情報が記憶対象情報に合致すると判定する。
【００４７】
ステップＳ５の判定の結果、商品情報が記憶対象情報に合致すると判定された場合、商品情報管理部１４は、ステップＳ４において選択した商品情報を商品情報記憶部１５に記憶させる（ステップＳ６）。なお、商品情報は、商品コードの形態で記憶される。一方、商品情報が記憶対象情報に合致しないと判定された場合、商品情報管理部１４は、ステップＳ４において選択した商品情報を破棄する（ステップＳ７）。ステップＳ６またはＳ７の処理の後、放送データに含まれているすべて商品情報がステップＳ４において選択されたか否かを判定する（ステップＳ８）。判定の結果、放送データに含まれている商品情報のいずれか１つでも選択されていない場合、ステップＳ４の処理に戻り、ステップＳ４〜Ｓ８の一連の処理を繰り返す。一方、すべての商品情報が選択された場合、図４に示す処理が終了する。以上の処理によって、放送データに含まれている商品情報のうち、記憶すべき商品情報のみが商品情報記憶部１５に記憶される。
【００４８】
次に、ユーザが外部装置３の設置された店舗に出向いた際に行われる、端末１が商品情報を画面に表示させることによって外部装置３に通知する際の動作を説明する。図８は、放送受信端末１の商品情報を通知する際における動作を示すフローチャートである。まず、商品情報管理部１４は、ユーザによる表示すべき商品情報を指定するための入力を受け付ける（ステップＳ１１）。具体的には、ユーザは、所望の商品の商品名または商品コード等を入力部２２を用いて指定する。入力部２２にて受け付けられた商品情報の指定は、商品情報管理部１４に渡される。
【００４９】
ステップＳ１１の次に、商品情報管理部１４は、ステップＳ１１において受け付けた指定により示される商品情報を、商品情報記憶部１５から取得する（ステップＳ１２）。なお、取得される商品情報は、商品コードの形態で記憶されている。取得された商品コードは、商品情報管理部１４によってバーコード（の画像データ）に変換されて出力される（ステップＳ１３）。具体的には、商品情報管理部１４は、生成データ、すなわち、商品コードの形態の商品情報を、外部装置３が読み取り可能な形態、すなわち、バーコードを示す画像データの形態に変換して映像出力部１９に出力させる。ここで、商品コードからバーコードへの変換は、商品情報管理部１４において予め用意されているバーコードフォントを用いて行われる。バーコードフォントを端末１で用意しておくことによって、放送データには商品コードのみを含めて送信することができる。
【００５０】
なお、商品コードからバーコードへの変換は、上記バーコードフォントを利用する方法の他、上述したスクリプトによる描画命令を利用する方法であってもよい。これによって、端末１においてバーコードフォントを用意しておかなくとも、バーコードを表示することができる。ただし、この場合、スクリプト自体を記憶する必要がある。あるいは、描画命令を記述したスクリプトを端末１で予め用意するか、または、描画機能を有するブラウザを端末１で予め用意する必要がある。
【００５１】
図９は、外部装置３に通知するために表示される商品情報の表示例を示す図である。図９（ａ）は、外部装置３にバーコードを読み取らせる際における端末１の画面表示例である。図９（ａ）に示すように、バーコードは、外部装置３の商品情報読取部３１が読み取りやすいように、画面全体に表示される。なお、上記のステップＳ１１においてユーザが所望の商品情報を指定する際には、図９（ｂ）のような表示を行ってもよい。図９（ｂ）に示す表示では、バーコードの表示を図９（ａ）と比べて小さくし、その代わり商品名等をバーコードとともに表示している。これによって、ユーザは所望の商品のバーコードを容易に探すことができる。なお、本実施形態においては、商品情報を商品コードの形式で記憶しておくので、用途に応じてバーコードの表示の大きさを容易に変化させることができる。
【００５２】
以上のように、ステップＳ１１〜Ｓ１３によって、端末１の画面にはユーザの所望する商品のバーコードが表示される。ユーザは、このバーコードが表示された端末１の画面を外部装置３の商品情報読取部３１のバーコード読み取り部分に向ける。これによって、外部装置３は、ユーザの所望する商品を特定し、当該商品に関する詳細情報を出力部３３に出力させるとともに、当該詳細情報を近距離通信部３２によって端末１へ送信させる。これによって、端末１の商品情報管理部１４は、詳細情報を受信する（ステップＳ商品情報管理部１４）。具体的には、近距離通信部２１によって受信された詳細情報が商品情報管理部１４に渡される。
【００５３】
以上の処理によって、端末１は、放送によって取得した商品情報を用いて、詳細情報を得ることができる。本実施形態に係る放送受信システムは、例えば以下のように利用することが可能である。すなわち、放送されるＣＭ中に商品情報を付加しておくことによって、ＣＭ中では放送しきれない情報を外部装置３によって提供する。これによれば、商品の提供者は、ＣＭ中では商品の概要のみを紹介することによってＣＭ時間を抑えるとともに、商品に興味を持ったユーザには外部装置３によってさらに詳細な情報を提供することができ、広告の効率化を図ることができる。
【００５４】
以上のように、本実施形態によれば、放送データから商品情報を取得することによって、バーコードに代表される商品情報を容易に取得することができる。さらに、本実施形態においてはバイナリテーブルに商品コードを記述するので、番組情報と商品情報とを分離して記憶することができる。すなわち、商品情報を記憶するために放送データ全体を記憶する必要がない。
【００５５】
なお、本実施形態においては、外部装置３は、読み取った商品情報に基づいて、詳細情報をユーザに対して送信したが、他の実施形態においては、出力部３３に出力するのみであってもよい。この場合、端末１は外部装置と通信を行うための近距離通信部２１を備える必要はない。
【００５６】
また、本実施形態においては、外部装置３は詳細情報をユーザに対して送信するための装置であったが、外部装置３の用途はこれに限らない。例えば、外部装置３は、ＰＯＳレジであってもよい。
【図面の簡単な説明】
【図１】本発明の一実施形態に係る放送受信システムの概要を示す図である。
【図２】図１に示す端末１の具体的な構成を示すブロック図である。
【図３】図１に示す外部装置３の詳細な構成を示すブロック図である。
【図４】放送受信端末１の放送データ受信時における動作を示すフローチャートである。
【図５】図４のステップＳ３の詳細を示すフローチャートである。
【図６】本実施形態において放送データに含まれるＢＭＬ文書の例を示す図である。
【図７】本実施形態において用いられる生成データの例を示す図である。
【図８】放送受信端末１の商品情報を通知する際における動作を示すフローチャートである。
【図９】外部装置３に通知するために表示される商品情報の表示例を示す図である。
【符号の説明】
１  放送受信端末
２  放送局
３  外部装置
４  放送受信部
５  商品情報記憶部
６  商品情報通知部
７  入力受付部
８  出力部
【図１】
2004350132.tif 000003
【図２】
2004350132.tif 000004
【図３】
2004350132.tif 000005
【図４】
2004350132.tif 000006
【図５】
2004350132.tif 000007
【図６】
2004350132.tif 000008
【図７】
2004350132.tif 000009
【図８】
2004350132.tif 000010
【図９】
2004350132.tif 000011